(57)【要約】      （修正有）【課題】一般消費者が好みの植物を鉢付きで購入した場合でも、これを手に提げて持ち帰ることができ、しかも持ち帰った植物を良好に生育させ得る植木鉢用把手及び同把手を備えた手提げ鉢を提供する。【解決手段】特定の植物ｐが仮植された植木鉢１に、把手２が取り付けられる。その把手２は、可撓性を有する帯状の把手本体の両端に、植木鉢１の部位に係止する係止部を形成してなる。把手本体の長手方向片側部分は、植物ｐを定植するとき当該植物の近傍に立てる立札部として切り取り可能とされている。把手本体には、立札部の切取位置を示す切取線が付けられており、立札部には、植物ｐの定植日を書き込む記入欄が設けられている。【選択図】図１
0003161192.tif 000002
【実用新案登録請求の範囲】
【請求項１】
特定の植物が仮植された植木鉢に取り付ける把手であって、
可撓性を有する帯状の把手本体の両端に、前記植木鉢の部位に係止する係止部を形成してなり、
前記把手本体の長手方向片側部分は、前記植物を定植するとき当該植物の近傍に立てる立札部として切り取り可能とされていると共に、
前記把手本体には、前記立札部の切取位置を示す切取線が付けられており、
前記立札部には、前記植物の定植日を書き込む記入欄が設けられていることを特徴とする植木鉢用把手。
【請求項２】
前記立札部には、前記植物の栽培方法を示す事項が記載されていることを特徴とする請求項１記載の植木鉢用把手。
【請求項３】
前記立札部には、前記植物の品名が記載されていることを特徴とする請求項１、又は２記載の植木鉢用把手。
【請求項４】
請求項１〜３のいずれか１項に記載の植木鉢用把手と、その把手を取り付けた植木鉢と、その植木鉢に仮植された特定の植物とにより構成される手提げ鉢。
【請求項５】
前記植木鉢は、培地を収容した４つのポット部を有し、その各ポット部は、上端開口部が縦横に並ぶ状態にして、その各開口縁が連ねられていることを特徴とする請求項４記載の手提げ鉢。
【考案の詳細な説明】
【技術分野】
【０００１】
本考案は、植木鉢を手に提げて持ち運べるようにした植木鉢用把手と、その把手を備えた手提げ鉢に関する。
【背景技術】
【０００２】
従来、植物を栽培する容器として、ポットと呼ばれる合成樹脂製の植木鉢が知られている（例えば、特許文献１）。
【０００３】
又、合成樹脂に代えて、ヤシ繊維を原料にして作られるポットも知られている（例えば、特許文献２）。
【０００４】
尚、上記のような植栽用ポットでは植物の苗が育てられ、ポットで育てられた植物苗は適宜時期にポットより大きな植木鉢、庭、あるいは田畑に移植、定植される。
【先行技術文献】
【特許文献】
【０００５】
【特許文献１】実用新案登録第２５１７１０５号公報
【特許文献２】登録実用新案第３０８７３７０号公報
【考案の概要】
【考案が解決しようとする課題】
【０００６】
しかしながら、特許文献１、２に開示される植栽用のポットによれば、種々の植物が仮植された状態で格子状の枠内に個別に収納して運搬することができるものの、一般消費者がその１つ乃至は数個を店頭で購入した場合、その持ち帰りに際して当該ポットが転倒し、培地が散乱してしまうことがあった。
【０００７】
又、購入した植物の好適な育て方が判らずして、これが不適切に栽培されることにより、その生育が不良となることも少なくない。
【０００８】
本考案は以上のような事情に鑑みて成されたものであり、その目的は一般消費者が好みの植物を鉢付きで購入した場合でも、これを手に提げて持ち帰ることができ、しかも持ち帰った植物を良好に生育させ得るようにすることにある。
【課題を解決するための手段】
【０００９】
本考案は上記目的を達成するため、
特定の植物が仮植された植木鉢に取り付ける把手であって、
可撓性を有する帯状の把手本体の両端に、前記植木鉢の部位に係止する係止部を形成してなり、
前記把手本体の長手方向片側部分は、前記植物を定植するとき当該植物の近傍に立てる立札部として切り取り可能とされていると共に、
前記把手本体には、前記立札部の切取位置を示す切取線が付けられており、
前記立札部には、前記植物の定植日を書き込む記入欄が設けられていることを特徴とする植木鉢用把手を提供する。
【００１０】
加えて、前記立札部には、前記植物の栽培方法を示す事項が記載されていることを特徴とする。
【００１１】
又、前記立札部には、前記植物の品名が記載されていることを特徴とする。
【００１２】
更に、本考案は、上記のように構成される植木鉢用把手と、その把手を取り付けた植木鉢と、その植木鉢に仮植された特定の植物とにより構成される手提げ鉢を提供する。
【００１３】
尚、前記植木鉢は、培地を収容した４つのポット部を有し、その各ポット部は、上端開口部が縦横に並ぶ状態にして、その各開口縁が連ねられていることが好ましい。
【考案の効果】
【００１４】
本考案によれば、特定の植物が仮植された植木鉢に把手が取り付けられることから、植木鉢を手に提げて持ち歩くことができる。
【００１５】
特に、把手本体の長手方向片側部分が植物を定植するとき当該植物の近傍に立てる立札部として切り取り可能とされていることから、手提げ用の把手を植物の定植位置を示す標柱として兼用できるほか、立札部によって植物の定植位置を明示できるので、定植した植物を誤って踏み付けてしまうことを防止できる。
【００１６】
しかも、立札部には、植物の定植日を書き込む記入欄が設けられていることから、その定植日を目安に植物の生育の良否を判断することができる。
【００１７】
加えて、立札部には、植物の栽培方法を示す事項が記載されているので、植栽に不慣れな人でも植物の発育に合わせて適切に対処することができる。
【００１８】
又、立札部に植物の品名が記載されていることから、定植した植物が大きく生長するまでの間、その植物が何であるかを忘れずに居られる。
【００１９】
更に、植物が仮植された植木鉢が４つのポット部を連ねて構成されるものでは、４つの植物苗を購入しながら、これを手に提げて培地を散乱させることなく持ち帰ることができる。
【図面の簡単な説明】
【００２０】
【図１】本考案に係る植木鉢用把手を備えた手提げ鉢の実施形態を示す斜視図
【図２】図１に示した手提げ鉢を構成する植木鉢の平面図
【図３】図２のＸ−Ｘ断面図
【図４】本考案に係る植木鉢用把手を平面状に伸展させた状態を示す平面図
【図５】図４の把手の一端部を植木鉢に接続する状態を示す説明図
【図６】同把手の一部を拡大して示した部分拡大図
【図７】同把手を構成する立札部を示す斜視図
【図８】立札部の使用態様を示す説明図
【考案を実施するための形態】
【００２１】
以下、図面に基づいて本考案を詳しく説明する。先ず、図１において、本考案に係る植木鉢用把手を備えた手提げ鉢の好適な実施形態を示してその構成を概説すれば、１はポリエチレンなどの合成樹脂により一体成型された植木鉢であり、この植木鉢１は４つのポット部１１を連ねた構成とされている。
【００２２】
それらポット部１１は、上端開口部１１ａから下方に向かって口径が漸次小さくなる有底の中空角錐状で、その内部には培地１２が個別に収容され、その各培地１２に特定の植物ｐ（本例においてキャベツの苗）が仮植されている。
【００２３】
又、図１〜図３から明らかなように、各ポット部１１は上端開口部１１ａが縦横に並ぶ状態で各々の開口縁が連ねられており、それらの上端開口部１１ａは、各ポット部１１を連ねた矩形の外枠部１３と、直交する縦リブ１４および横リブ１５とにより仕切られている。
【００２４】
尚、図２に示されるように、各ポット部１１の底面１１ｂには水抜き穴１６が穿設され、横リブ１５の両端には後述する把手を取り付けるためのＬ字形の切込み１７が形成されている。
【００２５】
図１において、２は上述の把手であり、この把手２はアーチ状に湾曲されながら、その両端が上記切込み１７に差し込まれて植木鉢１に係止されている。従って、係る手提げ鉢によれば、把手２を手にして植木鉢１を持ち歩くことができる。
【００２６】
図４〜図８により、把手２の構成態様を詳しく説明すると、係る把手２は合成紙を打ち抜くなどして形成される薄板であって、可撓性を有する帯状の把手本体２１の両端に係止部２２を形成した構成とされている。
【００２７】
係止部２２は、把手本体２１との連続部分を把手本体２１よりも幅の狭いネック部２２ａとして、その先端にネック部２２ａより幅広のヘッド部２２ｂを形成してなるもので、その形態は本例においてキノコ形とされている。そして、係る係止部２２は、図５のように植木鉢の切込み１７に対し、ヘッド部２２ｂが切込み１７の長辺部１７ａに平行する状態で差し込まれた後、そのヘッド部２２ｂを９０度捩ってネック部２２ａが切込み１７の短辺部１７ｂに位置付けられるのであり、これにより切込み１７からのヘッド部２２ｂの抜き出しが防止されるようになっている。尚、切込み１７の短辺部１７ｂは、ネック部２２ａの幅よりも長く、ヘッド部２２ｂの幅よりは短くされている。
【００２８】
一方、図４に示されるように、把手本体２１の長手方向中央部分には、その横断方向に沿って切取線２３が付けられており、その切取線２３にハサミを入れて把手本体２１を二分できるようになっている。尚、切取線２３を点線状の打ち抜きによるミシン目として、刃物を使用せずに分断できるようにしてもよいが、これでは植木鉢１の持ち運びに際して把手本体２１が不用意に切断してしまう危険性がある。このため、本例では係る切取線２３が把手本体２１に印刷されている。
【００２９】
ここに、その切取線２３を境界にして、把手本体２１はその長手方向片側（図４において切取線２３の左側）が一方の係止部２２を含む立札部２４として切り取り可能とされている。
【００３０】
立札部２４は、図１に示した植木鉢１に仮植されている植物ｐを植木鉢１よりも大きな鉢や庭などに移植、定植するとき、当該植物ｐの近傍に立てられる標示板となるもので、その片面には植物ｐの定植日を書き込むための記入欄２４ａ、植物ｐの栽培方法を示す事項が記載された栽培メモ部２４ｂ、ならびに植物ｐの品名を記載したネーム部２４ｃが設けられている。
【００３１】
記入欄２４ａは、白く塗り潰した領域内に、月／日を分けて記載できるよう斜線を印刷したもので、その欄内には油性ペンやボールペンによって定植日（月／日）を書き込むことが可能とされている。
【００３２】
又、図６から明らかなように、栽培メモ部２４ｂには、ネーム部２４ｃに記載の植物ｐの栽培方法を示す事項として、
「（１）植付、株間４０ｃｍ程度。（２）追肥、植付後３週間後と６週間後に与えます。（３）収穫、植付から２ヶ月で硬く締まってきたら収穫」と記載されている。
【００３３】
一方、ネーム部２４ｃには、植物ｐの品名として、例えば「キャベツ」と記載されるが、植物ｐの品名は立札部２４のみならず、図４のように把手本体１の他方側にも記載されている。
【００３４】
そして、上記のような立札部２４は、図７のように切取線２３の位置で把手本体２１から切り取られた後、植物ｐの定植に際してその定植日を記入欄２４ａに書き込み、しかして図８に示すように、係止部２２を下向きにして定植した植物ｐの近傍に立てられる。尚、植物ｐの定植時および定植後は、栽培メモ部２４ｂに記載された栽培方法に従って植物ｐの植付、追肥を行えばよく、これにより係る植物ｐを良好に生育させることができる。
【００３５】
以上、本考案の実施形態を説明したが、植木鉢１は４つのポット部１１を連ねた構成に限らず、単一のポット部１１で構成されるもの、あるいはポット部１１を４つ以上連ねた多連構造としてもよい。
【００３６】
又、植木鉢１に仮植される植物ｐは、キャベツの苗に限らず、大葉ニラ、レタス、サニーレタス、ブロッコリー、葉ネギなどでもよい。
【００３７】
加えて、把手２は、上記のような各種植物に対応して、「キャベツ」のみならず、様々な植物の品名を記載したものが取り揃えられるのであり、この場合において栽培メモ部２４ｂには当然に、ネーム部２４ｃに記載された植物に対応する栽培方法が記載される。例えば、対象とする植物が大葉ニラである場合、栽培メモ部２４ｂには、「（１）植付、株間１５ｃｍ程度で３本程度まとめて。（２）追肥、１ヶ月ごとに与える。（３）収穫、２０ｃｍ位に伸びたら地際４ｃｍで刈り取る。１年間は刈り過ぎないよう注意」などと記載される。
【符号の説明】
【００３８】
１  植木鉢
１１  ポット部
１１ａ  上端開口部
１２  培地
１７  切込み（把手本体の両端が係止する部位）
２  植木鉢用把手
２１  把手本体
２２  係止部
２３  切取線
２４  立札部
２４ａ  定植日の記入欄
２４ｂ  植物の栽培方法を示す事項が記載された栽培メモ部
２４ｃ  植物の品名が記載されたネーム部
【図１】
0003161192.tif 000003
【図２】
0003161192.tif 000004
【図３】
0003161192.tif 000005
【図４】
0003161192.tif 000006
【図５】
0003161192.tif 000007
【図６】
0003161192.tif 000008
【図７】
0003161192.tif 000009
【図８】
0003161192.tif 000010